(57)【要約】      （修正有）【課題】土間等にマス等が設計配置される際のコンクリート打設上のマス周り等のクラック発生を排除することのできるコンクリートの駐車場、アプローチあるいはコンクリートの犬走り等に施設するマスの構築に於ける補強鉄筋の構造を提供する。【解決手段】マスの構築に於ける補強鉄筋の構造は、コンクリート打設用メッシュ筋１０５をマス１０４周り等に施設するとともにマス１０４外周に予め用意した所要間隔３を隔てて外嵌することのできる外嵌内径を備える補強鉄筋１を外嵌固定して配設した後に所要のコンクリートを打設施工する。マス１０４の周りに於けるメッシュ筋１０５の配設が困難な部分や弱い部分が、補強鉄筋１によって補強されることにより、クラックを防止する。【選択図】図２
0003229160.tif 000002
【実用新案登録請求の範囲】
【請求項１】
コンクリート打設用メッシュ筋を施設するとともに当該マス施設位置にメッシュ筋を配設する構築構造に於いて、前設マスの筒状部外周に予め用意したマスの筒状部外周に対して所要間隔を隔てて外嵌することのできる外嵌内径を備える補強鉄筋を固定して配設した後に所要のコンクリートを打設施工し、クラックの発生を防止することを特徴とするコンクリートの駐車場、アプローチあるいはコンクリートの犬走り等に施設するマスの構築に於ける補強鉄筋の構造。
【請求項２】
前記マスは円筒状の筒状部を備えるマスから成るとともに、前記補強鉄筋は当該マスの外形より大径のリング状の内径を備える前記マスの筒状部外周に対して所要間隔を隔てて外嵌することのできる外嵌内径から成る補強鉄筋にて形成して成ることを特徴とする請求項１記載のコンクリートの駐車場、アプローチあるいはコンクリートの犬走り等に施設するマスの構築に於ける補強鉄筋の構造。
【請求項３】
前記マスは三角形あるいは四角形等の多角形状の形状を備えるマス等から成るとともに、前記補強鉄筋は前記マス等の筒状部の外周間に所要間隔を隔てて外嵌することのできる外嵌内径を備える三角形あるいは四角形等の多角形状を備える補強鉄筋にて形成して成ることを特徴とする請求項１記載のコンクリートの駐車場、アプローチあるいはコンクリートの犬走り等に施設するマスの構築に於ける補強鉄筋の構造。
【請求項４】
前記マスは円筒状あるいは多角形状以外の任意の形状から成るとともに前記補強鉄筋は前記任意の形状から成るマス等の外周間に所要間隔を隔てて外嵌することのできる外嵌内径を備える補強鉄筋にて形成して成ることを特徴とする請求項１記載のコンクリートの駐車場、アプローチあるいはコンクリートの犬走り等に施設するマスの構築に於ける補強鉄筋の構造。
【考案の詳細な説明】
【技術分野】
【０００１】
本考案は、コンクリートの駐車場、アプローチあるいはコンクリートの犬走り等に施設するマスの構築に於ける補強鉄筋の構造に関するものである。
【背景技術】
【０００２】
例えば一般家屋のコンクリートの駐車場、アプローチあるいはコンクリートの犬走り等には、必要に応じて排水用のマスを設計配設されている事が多いが、当該マス周り部は通常、前記コンクリートの駐車場、アプローチあるいはコンクリートの犬走り等の全体にメッシュ筋を配設した後にコンクリートを打設して構築する。
【０００３】
而して、その際例えば土間コンクリートの打設に当たっては、通常コンクリート厚１００ｍｍの土間にはメッシュ筋（５．５ｍｍφ等）を敷き、土間厚の中央に施設した後コンクリートを打設して仕上げるが、その土間に排水用のマスが設計配置されている場合、マス周りに適確にメッシュ筋を配設することができないことが多いものである。
【０００４】
例えば、図４の一般家屋１００の土間用コンクリートを打設する際に、２個のマス１０４を設計配置する場合には、図５に示すように前記マス１０４周りにメッシュ筋１０５を組み込んで配設固定した後にコンクリートを打設する。
【先行技術文献】
【特許文献】
【０００５】
【特許文献１】特開２００３−０６４７６７号公報
【考案の概要】
【考案が解決しようとする課題】
【０００６】
しかるに、前記土間１０３の打設に際してマス１０４の間にメッシュ筋１０５を配設するに当たり、２個のマス１０４周りに鉄筋が配設されがたくなり、図５に示すように弱い部分１０６が発生する為、打設後のコンクリートにクラック（ヒビ割れ）が発生してしまう欠点を有するものであった。
【０００７】
よって、本考案は土間等にマスが設計配置される際のコンクリート打設上の前記欠点を排除することのできるコンクリートの駐車場、アプローチあるいはコンクリートの犬走り等に施設するマスの構築に於ける補強鉄筋の構造を提案するものである。
【考案の効果】
【０００８】
本考案の請求項１によれば、コンクリート打設用メッシュ筋を施設するとともに、当該マス施設位置にメッシュ筋を配設する構築構造に於いて、前設マスの筒状部外周に予め用意したマスの筒状部外周に対して所要間隔を隔てて外嵌することのできる外嵌内径を備える補強鉄筋を固定して配設した後に所要のコンクリートを打設施工し、クラックの発生を防止することを特徴とするもので、マスの外周に於けるメッシュ筋の配設が困難な箇所や弱い部分をなくし、打設コンクリートのクラックの発生を防止し適切なコンクリートの打設を施工することができる。
【図面の簡単な説明】
【０００９】
【図１】図１は補強鉄筋の斜視図
【図２】図２はマスにメッシュ筋及び補強筋を構築する際の構造を示す平面拡大図
【図３】図３は同斜視図
【図４】図４は従来のマスと土間構成を説明する全体図
【図５】図５は従来のマス周りにはメッシュ筋を構築する土間の構成及びクラックの入りやすい部分を説明する説明図
【考案を実施するための形態】
【００１０】
本考案は、前記課題のコンクリート打設用メッシュ筋を施設するとともに当該マスの所要施設位置にメッシュを配設する構築構造に於いて前設マスの周囲に予め用意したマスの筒状部外周に対して所要間隔を隔てて外嵌することのできる外嵌内径を備える補強鉄筋を配設固定した後に所要のコンクリートを打設施工することでコンクリートのクラックの防止をすることを特徴とする。
【実施例１】
【００１１】
図１は、本考案の構造に於ける補強鉄筋１の斜視図、図２はマス１０４にメッシュ筋１０５を構築し、補強鉄筋を設置する際の構造を示す平面拡大図、図３は同斜視図である。
【００１２】
そこで、前記従来の構築方法にて説明した一般家屋１００に於ける土間１０３にマス１０４を設計配設されている場合には、図１に示すリング状の補強鉄筋１をマス１０４の径に対応する大径のものを予め用意することにより実施する。
【００１３】
図１に示すリング状の補強鉄筋１は、マス１０４の筒状部の外周に対して所要間隔を隔てて外嵌することのできる外嵌内径２を備えることにより形成したもので、その径がφ１０ｍｍの鉄筋であり、これをリング状に形成するとともにその開放端１ａ、１ｂは重ね合わせ量を約１００ｍｍに設定して形成したものである。
【００１４】
而して、マス１０４を施設した後メッシュ筋１０５を従来通り、その設計配設位置に位置せしめて配設する。
【００１５】
しかる後、当該マス１０４の筒状部の外周に予め用意したリング状の補強筋１を外嵌配設するが、必要に応じてメッシュ筋１０５の切断箇所に補強鉄筋１の外周を固定して配設固定することが好適である。
【００１６】
よって、かかる状態下に所要のコンクリートを打設する場合図５の従来の打設工法に比較して、マス１０４の周りに於けるメッシュ筋１０５の配設が困難な部分や弱い部分が、マス１０４の筒状部外周に外嵌して配設固定した補強鉄筋１によって補強されることにより、クラックの発生を防止することができ、適切なコンクリート打設施工を実施することができるものである。
【００１７】
尚、前記実施例に於いては円筒状に形成したマス１０４に対する実施例について説明したが当該形状以外の形状、例えば三角形あるいは四角形等の多角形状に形成されたマスあるいはこれ以外に必要に応じて形成された任意の寸法や形状に形成されたマス等に対して実施する場合には、前記実施例と同様に、前記任意形状から成るマス等の外周間に所要間隔を隔てて外嵌することのできる外嵌内径を備えて形成して成る任意形状から成る補強鉄筋を用意するとともにこれをマス等の外周に外嵌配設して実施する。
【符号の説明】
【００１８】
１        補強鉄筋
１ａ      開放端
１ｂ      開放端
２        外嵌内径
３        マス等の筒状部外周に対する所要間隔
１００    一般家屋
１０３    土間
１０４    マス
１０５    メッシュ筋
１０６    弱い部分
【図１】
0003229160.tif 000003
【図２】
0003229160.tif 000004
【図３】
0003229160.tif 000005
【図４】
0003229160.tif 000006
【図５】
0003229160.tif 000007